(57)【要約】【課題】送風機を大型化させることなく、ベッド上の人が極力寒さを感じない状態でベッドの全体に効率よく浄化空気を供給することができる空気調和装置を提供する。【解決手段】ヘッドボード１ａを有するベッド１の頭側端部及び脚側端部に複数の送風機を設置し、頭側端部に設置された送風機２は吸込口をヘッドボード１ａの内側に位置させ、吹出口の吹出し方向を脚側端部に向くようにし、脚側端部に設置された送風機２は吹出口の吹出し方向をヘッドボード１ａに向くようにしてある。さらにベッド１はフットボード１ｂを有し、脚側端部に設置された送風機２は吸込口をフットボード１ｂの内側に位置させ、頭側端部に設置された送風機２は吹出口の吹出し方向をフットボード１ｂに向くようにしてある。ベッド１は平面視で矩形状をなし、頭側端部に設置された送風機２と脚側端部に設置された送風機２とは、矩形状のベッド１の対角に位置している。【選択図】図１
2013213641.tif 000002
【特許請求の範囲】
【請求項１】
ヘッドボードを有するベッドと、該ベッドの頭側端部及び脚側端部に設置された複数の送風機とを備えた空気調和装置において、
前記頭側端部に設置された送風機は吸込口を前記ヘッドボードの内側に位置させ、吹出口の吹出し方向を脚側端部に向くようにし、
前記脚側端部に設置された送風機は吹出口の吹出し方向を前記ヘッドボードに向くようにしてあることを特徴とする空気調和装置。
【請求項２】
前記ベッドはフットボードを有し、
前記脚側端部に設置された送風機は吸込口を前記フットボードの内側に位置させ、
前記頭側端部に設置された送風機は前記吹出口の吹出し方向を前記フットボードに向くようにしてあることを特徴とする請求項１に記載の空気調和装置。
【請求項３】
前記ベッドは平面視で矩形状をなし、
前記頭側端部に設置された送風機と脚側端部に設置された送風機とは、前記矩形状のベッドの対角に位置していることを特徴とする請求項１又は２に記載の空気調和装置。
【請求項４】
前記頭側端部に設置された送風機は前記吹出口の一部に吹き出し方向を下向きにする導風板を備えていることを特徴とする請求項１から３の何れか１項に記載の空気調和装置。
【請求項５】
イオン発生部を備え、少なくとも前記脚側端部に設置された送風機は前記イオン発生部が発生したイオンを送出するよう構成してあることを特徴とする請求項１から３の何れか１項に記載の空気調和装置。
【請求項６】
イオン発生部を備え、少なくとも前記頭側端部に設置された送風機は前記イオン発生部が発生したイオンを送出するよう構成してあることを特徴とする請求項４に記載の空気調和装置。
【請求項７】
イオン発生部を備え、前記頭側端部又は脚側端部の少なくとも一方に設置された送風機は前記イオン発生部が発生したイオンを送出するよう構成してあることを特徴とする請求項２から４の何れか１項に記載の空気調和装置。
【請求項８】
静電霧化装置を備え、前記頭側端部又は脚側端部の少なくとも一方に設置された送風機は前記静電霧化装置が発生した帯電微粒子水を送出するよう構成してあることを特徴とする請求項１から７の何れか１項に記載の空気調和装置。
【請求項９】
加湿部を備え、前記頭側端部又は脚側端部の少なくとも一方に設置された送風機は前記加湿部によって加湿された空気を送出するよう構成してあることを特徴とする請求項１から７の何れか１項に記載の空気調和装置。
【請求項１０】
請求項１から９の何れか１項に記載の空気調和装置の前記複数の送風機を送風動作させて前記ベッドの上部の空気調和を行うことを特徴とする空気調和方法。
【発明の詳細な説明】
【技術分野】
【０００１】
本発明は、イオン、加湿空気等を含む浄化空気を送風する送風機をベッドに設置した空気調和装置、及び該空気調和装置を用いた空気調和方法に関する。
【背景技術】
【０００２】
大気中におけるコロナ放電によって空気中に正イオンであるＨ+ (Ｈ2Ｏ) m（ｍは任意の自然数）と、負イオンであるＯ2-(Ｈ2Ｏ) n（ｎは任意の自然数）を同等量発生させて放出することにより、両イオンが空気中の浮遊カビ菌やウイルスの周りを取り囲んで付着し、その際に反応生成される活性種の水酸基ラジカル（・ＯＨ）の作用により、浮遊カビ菌等を不活化することが可能なイオン発生装置に関する発明が既になされている（特許文献１参照）。
【０００３】
また、ベッドに浄化空気を送風する送風機をヘッドボードやフットボードに設置し、ベッド上の人の存在を確認したり就寝状態を確認したりしながら、浄化空気をベッドに供給する空気調和装置の発明も既になされている（特許文献２、３参照）。
【先行技術文献】
【特許文献】
【０００４】
【特許文献１】特開２００３−４７６５１号公報
【特許文献２】特開２００８−２３７６０６号公報
【特許文献３】特開２０１１−１９６６４５号公報
【発明の概要】
【発明が解決しようとする課題】
【０００５】
特許文献２に記載の空気調和装置ではベッドの頭側端部に送風機を設置し、特許文献３に記載の空気調和装置では頭側端部と脚側端部とに送風機を設置しているが、吹出口からベッド上に横たわっている人に向けて直接送風しているため、ベッド上の人は寒さを感じる可能性がある。また、ベッドの全体にバランス良く浄化空気を拡散させるためには、送風機の吹出口をベッドの横幅程度まで広げる必要があり、大型化する不利があった。
【０００６】
本発明は、上述した事情に鑑みてなされたものであり、送風機を大型化させることなく、ベッド上の人が極力寒さを感じない状態でベッドの全体に効率よく浄化空気を供給することができる空気調和装置及び空気調和方法を提供することを目的とする。
【課題を解決するための手段】
【０００７】
本発明に係る空気調和装置は、ヘッドボードを有するベッドと、該ベッドの頭側端部及び脚側端部に設置された複数の送風機とを備えた空気調和装置において、前記頭側端部に設置された送風機は吸込口を前記ヘッドボードの内側に位置させ、吹出口の吹出し方向を脚側端部に向くようにし、前記脚側端部に設置された送風機は吹出口の吹出し方向を前記ヘッドボードに向くようにしてあることを特徴とする。
【０００８】
本発明においては、ベッドの脚側端部に設置された送風機の吹出口からヘッドボードに向けて吹き出された空気がヘッドボードに当たってヘッドボードの内側に誘導され、ベッドの頭側端部に設置された送風機のヘッドボードの内側に位置した吸込口に吸い込まれ、当該送風機の吹出口から脚側端部に向けて吹き出される。
【０００９】
本発明に係る空気調和装置は、前記ベッドはフットボードを有し、前記脚側端部に設置された送風機は吸込口を前記フットボードの内側に位置させ、前記頭側端部に設置された送風機は前記吹出口の吹出し方向を前記フットボードに向くようにしてあることを特徴とする。
【００１０】
本発明においては、ベッドの脚側端部に設置された送風機の吹出口からヘッドボードに向けて吹き出された空気がヘッドボードに当たってヘッドボードの内側に誘導され、ベッドの頭側端部に設置された送風機のヘッドボードの内側に位置した吸込口に吸い込まれ、当該送風機の吹出口からフットボードに向けて吹き出される。ベッドの頭側端部に設置された送風機の吹出口からフットボードに向けて吹き出された空気はフットボードに当たってフットボードの内側に誘導され、ベッドの脚側端部に設置された送風機のフットボードの内側に位置した吸込口に吸い込まれた後、当該送風機の吹出口からヘッドボードに向けて吹き出される。以下、各送風機による吹き出しと吸込み動作を繰り返すことにより、気流がベッドのヘッドボードとフットボードとの間で循環するので、ベッドの全体に更に効率よく浄化空気を供給することができる。
【００１１】
本発明に係る空気調和装置は、前記ベッドは平面視で矩形状をなし、前記頭側端部に設置された送風機と脚側端部に設置された送風機とは、前記矩形状のベッドの対角に位置していることを特徴とする。
本発明においては、平面視で矩形状をなすベッドの頭側端部に設置された送風機はベッド横幅方向の一方の端に位置して脚側端部に向けて吹き出し、脚側端部に設置された送風機はベッド横幅方向の他方の端に位置して頭側端部に向けて吹き出すので、矩形状のベッドの周辺部を含む全体に対して漏れなく浄化空気を供給することができる。
【００１２】
本発明に係る空気調和装置は、前記頭側端部に設置された送風機は前記吹出口の一部に吹き出し方向を下向きにする導風板を備えていることを特徴とする。
本発明においては、頭側端部に設置された送風機の吹出口から空気の一部が導風板によって下向きに吹き出される。その結果、頭側端部に設置された送風機から浄化空気を脚側端部に向けて吹き出しつつ、ベッド上に直接浄化空気を供給することができる。
【００１３】
本発明に係る空気調和装置は、イオン発生部を備え、少なくとも前記脚側端部に設置された送風機は前記イオン発生部が発生したイオンを送出するよう構成してあることを特徴とする。
本発明においては、少なくともベッドの脚側端部に設置された送風機から吹き出した気流によって、イオン発生部が発生したイオンが送出される。その結果、少なくともベッドの脚側端部に設置された送風機が送出したイオンを、ベッドの頭側端部に設置された送風機が吸い込み、さらにイオンを再度送出することでイオン濃度を高く維持することができ、小型の送風機でもイオンによる空気清浄効果を高めることができる。
【００１４】
本発明に係る空気調和装置は、イオン発生部を備え、少なくとも前記頭側端部に設置された送風機は前記イオン発生部が発生したイオンを送出するよう構成してあることを特徴とする。
本発明においては、少なくともベッドの頭側端部に設置された送風機から吹き出した気流によって、イオン発生部が発生したイオンが送出される。その結果、少なくともベッドの頭側端部に設置された送風機が送出したイオンを、ベッドの脚側端部に設置された送風機が吸い込み、さらにイオンを再度送出することでイオン濃度を高く維持することができ、小型の送風機でもイオンによる空気清浄効果を高めることができる。
【００１５】
本発明に係る空気調和装置は、イオン発生部を備え、前記頭側端部又は脚側端部の少なくとも一方に設置された送風機は前記イオン発生部が発生したイオンを送出するよう構成してあることを特徴とする。
本発明においては、ベッドの頭側端部又は脚側端部の少なくとも一方に設置された送風機から吹き出した気流によって、イオン発生部が発生したイオンが送出される。その結果、ベッドの頭側端部又は脚側端部の少なくとも一方に設置された送風機が送出したイオンを、他方に設置された送風機が吸い込み、さらにイオンを再度送出することでイオン濃度を高く維持することができ、小型の送風機でもイオンによる空気清浄効果を高めることができる。
【００１６】
本発明に係る空気調和装置は、静電霧化装置を備え、前記頭側端部又は脚側端部の少なくとも一方に設置された送風機は前記静電霧化装置が発生した帯電微粒子水を送出するよう構成してあることを特徴とする。
本発明においては、ベッドの頭側端部又は脚側端部の少なくとも一方に設置された送風機から吹き出した気流によって、静電霧化装置が発生した帯電微粒子水が送出される。その結果、ベッドの頭側端部又は脚側端部の少なくとも一方に設置された送風機が送出した帯電微粒子水を、他方に設置された送風機が吸い込み、さらに帯電微粒子水を再度送出することで帯電微粒子水の濃度を高く維持することができ、小型の送風機でも帯電微粒子水による空気清浄効果を高めることができる。
【００１７】
本発明に係る空気調和装置は、加湿部を備え、前記頭側端部又は脚側端部の少なくとも一方に設置された送風機は前記加湿部によって加湿された空気を送出するよう構成してあることを特徴とする。
本発明においては、ベッドの頭側端部又は脚側端部の少なくとも一方に設置された送風機から吹き出した気流が加湿装置によって加湿された加湿空気を送出する。その結果、ベッドの頭側端部又は脚側端部の少なくとも一方に設置された送風機が送出した加湿空気を、他方に設置された送風機が吸い込み、さらに加湿空気を再度送出することで加湿空気の濃度を高く維持することができ、小型の送風機でも加湿空気による空気清浄効果を高めることができる。
【００１８】
本発明に係る空気調和方法は、前記空気調和装置の前記複数の送風機を送風動作させて前記ベッドの上部の空気調和を行うことを特徴とする。
本発明においては、前記空気調和装置のベッドの頭側端部及び脚側端部に設置された複数の送風機が送風動作し、脚側端部の送風機から頭側端部の方へ吹き出された空気が頭側端部の送風機に吸い込まれ、当該送風機から脚側端部に向けて吹き出され、ベッドの上部の空気調和が行われる。
【発明の効果】
【００１９】
本発明によれば、ベッドの脚側端部の送風機の吹出口から吹き出した気流がヘッドボードに当たり、ベッドの頭側端部の送風機の吸込口に吸い込まれた後、ベッドの頭側端部の送風機の吹出口からベッドの脚側端部に向けて吹き出すことにより、ベッド全体に浄化空気を拡散させるので、各送風機の吹出口はベッドの横幅に対応する幅は不要であり、送風機を大型化させることがない。また、各送風機の吹出口からベッド上に横たわっている人に向けて直接送風する必要がないので、ベッド上の人が極力寒さを感じない状態でベッドの全体に効率よく浄化空気を供給することができる空気調和装置及び空気調和方法が提供される。
【図面の簡単な説明】
【００２０】
【図１】本発明の実施の形態１に係るイオン発生機付きベッドの概略斜視図である。
【図２】イオン発生機の外観を示す斜視図である。
【図３】イオン発生機の正面一部透視図である。
【図４】図３のＩＶ−ＩＶ線における断面図である。
【図５】イオン発生部の外観を示す斜視図である。
【図６】気流の状態を模式的に示す上面図である。
【図７】気流の状態を模式的に示す側面図である。
【図８】本発明の実施の形態２に係るイオン発生機付きベッドの概略斜視図である。
【図９】イオン発生機の外観を示す斜視図である。
【図１０】イオン発生機の正面一部透視図である。
【図１１】図１０のＸＩ−ＸＩ線における断面図である。
【図１２】気流の状態を模式的に示す上面図である。
【図１３】気流の状態を模式的に示す側面図である。
【図１４】本発明の実施の形態３に係るイオン発生機付きベッドの概略斜視図である。
【図１５】気流の状態を模式的に示す上面図である。
【図１６】本発明の実施の形態４に係るイオン発生機付きベッドの概略斜視図である。
【図１７】本発明の実施の形態５に係るイオン発生機付きベッドの概略斜視図である。
【図１８】イオン発生機の正面一部透視図である。
【図１９】図１８のＸＩＸ−ＸＩＸ線における断面図である。
【図２０】図１８のＸＸ−ＸＸ線における断面図である。
【図２１】静電霧化装置の概略構造を示す模式図である。
【発明を実施するための形態】
【００２１】
以下、本発明に係る空気調和装置の実施の形態について、イオン発生機付きベッドを例として図面に基づいて説明する。
（実施の形態１）
図１は本発明の実施の形態１に係るイオン発生機付きベッドの概略斜視図、図２はイオン発生機の外観を示す斜視図、図３はイオン発生機の正面一部透視図、図４は図３のＩＶ−ＩＶ線における断面図、図５はイオン発生部の外観を示す斜視図である。
【００２２】
平面視で矩形状（例えば幅１０００ｍｍ、長さ２０００ｍｍ）のベッド１は頭側端部にヘッドボード１ａを有し、脚側端部にフットボード１ｂを有する。ヘッドボード１ａの一方端とフットボード１ｂの一方端とにイオン発生機２を互いにベッド１の対角に位置するように各１台設置している。
【００２３】
イオン発生機２は、下向きの吸込口２ａと前方向きの横長の吹出口２ｂとを備えた直方体状の筐体２ｃを有し、吹出口２ｂはベッド床部１ｃの上面から所定高さ（例えば５００ｍｍ）に位置している。筐体２ｃ内の吸込口２ａから吹出口２ｂに至る通風路に、クロスフローファン３とイオン発生部４とが配置してある。イオン発生機２の筐体２ｃは、運転スイッチなどの操作手段とＬＥＤなどの表示手段とを設けた操作部２ｄを備えている。
【００２４】
クロスフローファン３は、ファン３ａとファン３ａの回転軸３ｃを回転駆動するモータ３ｂとを備えている。クロスフローファン３は、回転軸３ｃに沿って延び、ファン３ａの軸方向の長さとほぼ等しい長さの幅広の吸込口と吹出口とを有する。クロスフローファン３は、幅広の吸込口および吹出口を有するので、幅広い気流を送出することが可能であり、横方向に複数のイオン発生部４を設置することが出来る。本実施例では、イオン発生部４を２台並置した構造を示している。
【００２５】
イオン発生部４は直方体状の本体４ｄに２つのイオン発生部を備えている。２つのイオン発生部の一方が正イオン発生部４ａであり、他方が負イオン発生部４ｂである。正イオン発生部４ａおよび負イオン発生部４ｂは本体４ｄから突出した尖端部を有する針状の金属電極を備え、正イオン発生部４ａおよび負イオン発生部４ｂを覆うアーチ状のカバー４ｃが設けられている。
【００２６】
カバー４ｃには２つの穴４ｅ、４ｆ が設けられ、正イオン発生部４ａと負イオン発生部４ｂは、その針状電極の軸線が各々穴４ｅまたは穴４ｆの中心に一致するように配置されている。このように設置することで、カバー４ｃは正負各イオンの送出を妨げず、正イオン発生部４ａおよび負イオン発生部４ｂの損傷を防ぐとともに、ユーザー等が指先を傷付けることが予防される。
【００２７】
イオン発生部４の本体４ｄには、外部電源から供給される電力を入力する端子部、端子部に入力された電力をパルス信号に変える駆動部、駆動部が生成したパルス信号を高圧電気パルスに変換する高圧トランス、高圧トランスが生成した高電圧パルスを整流して、正の高電圧パルスを正イオン発生部４ａに、負の高電圧パルスを負イオン発生部４ｂに与える整流装置が収納されている。
【００２８】
正イオン発生部４ａ及び負イオン発生部４ｂは、クロスフローファン３から吹出口２ｂに続く通風路内に露出して設置されており、吹出口２ｂから放出される空気に正イオンと負イオンとを付加する。
【００２９】
正イオン発生部４ａから発生する正イオンはＨ+ (Ｈ2Ｏ) m（ｍは任意の自然数）であり、負イオン発生部４ｂから発生する負イオンはＯ2-(Ｈ2Ｏ) n（ｎは任意の自然数）であり、正負両イオンは空気中に送出されることによって、空気中の浮遊細菌やウイルスに付着し、その際に起こる反応によって水酸基ラジカル（・ＯＨ）を生じ、その活性によって浮遊細菌を殺菌し、ウイルスを不活化する。
【００３０】
イオン発生機２を図１に示すように設置した時のベッド上の風の流れを図６と図７とに示す。図６は気流の状態を模式的に示す上面図であり、上から見た場合に対応する。図７は気流の状態を模式的に示す側面図であり、横から見た場合に対応する。図中、実線の矢印で記載した気流は画面の手前側、点線の矢印で記載した気流は各図の画面の奥側にあるとする。
【００３１】
先ず、ヘッドボード１ａに設置されたイオン発生機２から、フットボード１ｂに向かってイオンを含む空気が吹き出され、フットボード１ｂに設置されたイオン発生機２から、ヘッドボード１ａに向かってイオンを含む空気が吹き出される。ヘッドボード１ａに設置されたイオン発生機２からフットボード１ｂに向かって送出された気流は、フットボード１ｂに設置されたイオン発生機２の吸込み気流により、フットボード１ｂに沿ってフットボード１ｂの内側のベッド１の中心方向へ拡散する。
【００３２】
同様に、フットボード１ｂに設置されたイオン発生機２からヘッドボード１ａに向かって送出された気流は、ヘッドボード１ａに設置されたイオン発生機２の吸込み気流によって、ヘッドボード１ａに沿ってヘッドボード１ａの内側のベッド１の中心方向へ拡散する。これにより、イオン発生機２の風向をベッド１の中心に向けることなく、ベッド１上にイオンを拡散させることが可能となる。
【００３３】
尚、ベッド１が金属パイプ等のフレームを頭側端部及び脚側端部に設置している場合には、各フレームに気流をベッド上へ誘導するための壁部を設けると良い。このようにすることでヘッドボード及びフットボードが構成され、頭側端部及び脚側端部を含めてベッド１の上部をイオン気流で覆うことが可能になる。
【００３４】
以上の説明において、イオン発生部４の例として正負両イオンを発生させるものを挙げたが、イオン発生部４が生成するイオンは、正イオンおよび負イオンに限られず負イオンのみであっても良い。
【００３５】
（実施の形態２）
図８は本発明の実施の形態２に係るイオン発生機付きベッドの概略斜視図、図９はイオン発生機の外観を示す斜視図、図１０はイオン発生機の正面一部透視図、図１１は図１０のＸＩ−ＸＩ線における断面図、図１２は気流の状態を模式的に示す上面図、図１３は気流の状態を模式的に示す側面図である。
【００３６】
実施の形態１では、イオン発生機２が下向きの吸込口２ａを有していたが、実施の形態２では、イオン発生機２０が筐体２０ｃの一方の側面又は両側面に横向きの吸込口２０ａを有する点が実施の形態１と異なる。尚、実施の形態１と同様に、吹出口２０ｂは前方向きであり、筐体２０ｃは操作部２０ｄを備えている。
【００３７】
イオン発生機２０は、実施の形態１とは異なり、クロスフローファン３に替えて２個のシロッコファン３０を備える。シロッコファン３０は、ファン３０ａとファン３０ａを囲むケーシング３０ｃとファン３０ａを回転させるモータ３０ｂとからなる。モータ３０ｂは両軸モータであり、各シロッコファン３０のファン３０ａ及びケーシング３０ｃをモータ３０ｂの両側に配置し、モータ３０ｂの出力軸が各ファン３０ａの回転軸に連結されている。
【００３８】
図９，図１０には、イオン発生機２０の筐体２０ｃの両側面に横向きの吸込口２０ａを設けた場合を示すが、吸込口２０ａが筐体２０ｃの片方の側面にのみ設けられている場合には、図８に示す通り、吸込口２０ａはベッドの内側に位置するように設ける。図８のようにイオン発生機２０を設置する場合には、実施の形態１の場合と吸込口２０ａの位置が異なるだけであり、実施の形態１の場合と同様に気流が構成される。
【００３９】
イオン発生機２０を図８に示すように設置した時の、ベッド上の風の流れを図１２と図１３とに示す。図中、実線で記載した気流は各図の画面の手前側、点線で記載した気流は画面の奥側にあるとする。
【００４０】
先ず、ヘッドボード１ａに設置されたイオン発生機２０から、フットボード１ｂに向かってイオンを含む空気が吹き出され、フットボード１ｂに設置されたイオン発生機２０から、ヘッドボード１ａに向かってイオンを含む空気が吹き出される。ヘッドボード１ａに設置されたイオン発生機２０からフットボード１ｂに向かって送出された気流は、フットボード１ｂに設置されたイオン発生機２０の吸込口２０ａへ向かう吸込み気流によって、フットボード１ｂに沿ってベッド１の中心方向へ拡散する。同様に、フットボード１ｂに設置されたイオン発生機２０からヘッドボード１ａに向かって送出された気流は、ヘッドボード１ａに設置されたイオン発生機２０の吸込口２０ａへ向かう吸込み気流により、ヘッドボード１ａに沿ってベッド１の中心方向へ拡散する。これにより、イオン発生機２０の風向をベッド１の中心に向けることなく、ベッド１上にイオンを拡散させることが可能となる。
【００４１】
尚、実施の形態１と実施の形態２とを組み合わせて、イオン発生機の吸込口が筐体の下面及び側面にある形態も可能である。この場合も実施の形態１又は実施の形態２の場合と同様の気流が形成される。吸込口の個数が多く、吸い込み面積も増加する分、吸い込みによる気流の誘導が効率よくおこなわれ、ベッド上にイオンを拡散させる効率が向上する。
【００４２】
（実施の形態３）
図１４は本発明の実施の形態３に係るイオン発生機付きベッドの概略斜視図、図１５は気流の状態を模式的に示す上面図である。実施の形態１及び２では、イオン発生機２，２を取り付けるベッド１に、気流を誘導するヘッドボード１ａとフットボード１ｂとを設けた例を説明したが、実施の形態３ではベッド１０に気流を誘導するヘッドボード１０ａのみ設置される点が実施の形態１，２と異なる。具体的には、図中のフットボード１０ｂはフレームのみを有し、中央部分に気流が通過する開口１０ｂ１が形成してある。
【００４３】
ベッド周辺に浄化空気を供給する点では、実施の形態１及び２に劣るが、ベッド１０に横たわる人が最も空気浄化の影響を受けるのは、鼻や口から空気を吸い込むときであることを考えると十分に実用できる実施方法である。即ち、人の頭部があるヘッドボード１０ａ周辺にイオンを供給することが出来ればその目的は達成されるので、フットボード１０ｂにイオン発生機２を設置して、イオンを含む気流を頭部側に送出し、さらにヘッドボード１０ａで気流をベッド１０の中心方向へ導くことにより、人の頭部周辺にイオンを高濃度で存在させることが出来る。
【００４４】
イオン発生機２はヘッドボード１０ａとフットボード１０ｂの双方に設置されるが、フットボード１０ｂには気流を誘導する板部がないのでヘッドボード１０ａに設置されたイオン発生機２から吹き出した気流がフットボード１０ｂの開口１０ｂ１を突き抜けてしまい、頭部側に還流しない。一方、ヘッドボード１０ａの内側には、フットボード１０ｂに設置されたイオン発生機２から吹き出し気流がヘッドボード１０ａに衝突し、横方向に導かれてイオンが高濃度で存在する。ベッド床１０ｃの上面をイオンを含む気流で覆う点では完全ではないが、ベッド床１０ｃの大部分をイオンを含む気流で覆うので実用上問題はない。
【００４５】
（実施の形態４）
図１６は本発明の実施の形態４に係るイオン発生機付きベッドの概略斜視図である。
実施の形態１−３においては、イオン発生機をヘッドボード１ａ，１０ａとフットボード１ｂ，１０ｂとに設置した例を説明したが、実施の形態４では、イオン発生機をフットボードにのみ設置する点が実施の形態１−３と異なる。
【００４６】
実施の形態４では、イオン発生機が１台になるので、実施の形態１−３のイオン発生機が発生させるイオン量のほぼ２倍のイオンを発生させるイオン発生機２１を使用することが必要になる。イオン発生機が発生するイオン量を増加させるには、イオン発生部に印加する電圧を上げる方法、イオン発生部の数を増す方法、イオン発生機を通過させる風量を増加する方法、およびこれらの方法の複合によって可能となる。
【００４７】
イオン発生量を２倍程度にしたイオン発生機２１をフットボード１ｂにのみ設置した場合、ヘッドボード１ａには、イオン発生部を有しない単なる送風機５を設置することが可能になる。フットボード１ｂに設置したイオン発生機２１からのイオンを含む気流によって、人の頭部があるベッド１のヘッドボード１ａの内側周辺に高濃度のイオンを供給することができ、ヘッドボード１ａに設置した送風機５の吸込み、およびヘッドボード１ａによって気流を導くことにより、実施の形態１−３と同様に、人の頭部周辺にイオンを高濃度で存在させることが出来る。また、送風機５によって頭部付近にある高濃度イオンをフットボード１ｂに向かって送出することによって、脚部側にもイオンを供給しフットボード１ｂに設置したイオン発生機２１およびフットボード１ｂによって還流させることが出来る。従って、気流は実施の形態１，２と同じように形成される。
【００４８】
（実施の形態５）
図１７は本発明の実施の形態５に係るイオン発生機付きベッドの概略斜視図、図１８はイオン発生機の正面一部透視図、図１９は図１８のＸＩＸ−ＸＩＸ線における断面図、図２０は図１８のＸＸ−ＸＸ線における断面図である。
【００４９】
実施の形態１−４においては、少なくともフットボード１ｂ、１０ｂにイオン発生機を設置した例を説明したが、実施の形態５では、イオン発生機２２をヘッドボード１ａにのみ設置している。フットボード１ｂには単なる送風機５を設置している。
【００５０】
本実施の形態５に使用するイオン発生機２２は、実施の形態２に使用したイオン発生機２０とほぼ同じ構造であり、筺体２２ｃは操作部２２ｄを有し、筺体２２ｃの両側面に横向きの吸込口２２ａを設けてある。イオン発生機２２は、２個あるシロッコファン３０の一方から吹き出す気流を下方に導く導風板２２ｅを吹出口２２ｂに設けてある。イオン気流を下方に導く導風板２２ｅは吹出口２２ｂにおいてベッド１の中央部側になるように設置されることが好ましい。
【００５１】
ヘッドボード１ａに設置したイオン発生機２２から送出されたイオンの大半がフットボード１ｂに向かって送出され、フットボード１ｂに設置された送風機５の吸込み気流、及びフットボード１ｂによってベッド１の中心方向へ拡散する。ヘッドボード１ａに設置したイオン発生機２２から送出された一部のイオンが導風板２２ｅによってヘッドボード１ａの周辺に誘導され、人の頭部があるヘッドボード１ａ周辺に高濃度で供給される。同時にフットボード１ｂに設置した送風機５によって、フットボード１ｂに向かって送出されたイオンを脚部側から頭部側に還流することが出来、気流は実施の形態１，２，４と同じように形成される。
【００５２】
上記の実施の形態１−５では、イオン発生部４が発生したイオンをベッド上に供給するようにしたが、イオン発生部４に替えて微細な帯電微粒子水を生成する静電霧化装置を使用しても良く、また、イオン発生部４と静電霧化装置とを併用しても構わない。図２１に静電霧化装置の概略構造を示す模式図である。
【００５３】
静電霧化装置４０には、放電を発生させ放電現象に伴って帯電微粒子水を発生する針状の放電電極４０ａ、放電電極４０ａの放電を安定して発生させるための円環状の対向電極４０ｂ、放電電極４０ａを冷却して放電電極４０ａの表面に結露水を発生させる冷却手段４０ｃ、冷却手段４０ｃから発生する熱を放熱する放熱手段４０ｄと、放電電極４０ａと対向電極４０ｂの間に高電圧を印加する高圧電源４０ｅ、冷却手段４０ｃに電力を供給する冷却用電源４０ｆを備える。放電電極４０ａに正の高電圧を印加すると正の電荷をもつ帯電微粒子水が発生し、逆に負の高電圧を印加すると負の帯電微粒子水が発生する。また、冷却手段としては、小型で薄型化が可能なペルチェ素子が使用されることが多い。これらの装置は、すでに実用化されているので、それを利用することが出来る。帯電微粒子水を送出することによって、浮遊細菌の殺菌や気分爽快感などの効果が得られる。
【００５４】
さらに、イオン発生機や静電霧化装置に代わってその他の空気清浄機や加湿機や送風装置を用いることでも同様の機能を発揮させることが出来る。
【００５５】
なお、今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【産業上の利用可能性】
【００５６】
ベッドを多く使用する病院、介護施設や、個人の寝室などで本発明を利用して、浄化された空気により快適なベッド回り環境を実現することが出来る。
【符号の説明】
【００５７】
１      ベッド
１ａ    ヘッドボード
１ｂ    フットボード
１０    ベッド
１０ａ  ヘッドボード
１０ｂ  フットボード
２      イオン発生機（送風機）
２ａ    吸込口
２０    イオン発生機（送風機）
２０ａ  吸込口
２１    イオン発生機（送風機）
２２    イオン発生機（送風機）
２２ａ  吸込口
２２ｅ  導風板
４      イオン発生部
５      送風機
４０    静電霧化装置
【図１】
2013213641.tif 000003
【図２】
2013213641.tif 000004
【図３】
2013213641.tif 000005
【図４】
2013213641.tif 000006
【図５】
2013213641.tif 000007
【図６】
2013213641.tif 000008
【図７】
2013213641.tif 000009
【図８】
2013213641.tif 000010
【図９】
2013213641.tif 000011
【図１０】
2013213641.tif 000012
【図１１】
2013213641.tif 000013
【図１２】
2013213641.tif 000014
【図１３】
2013213641.tif 000015
【図１４】
2013213641.tif 000016
【図１５】
2013213641.tif 000017
【図１６】
2013213641.tif 000018
【図１７】
2013213641.tif 000019
【図１８】
2013213641.tif 000020
【図１９】
2013213641.tif 000021
【図２０】
2013213641.tif 000022
【図２１】
2013213641.tif 000023